【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
目標印刷物と印刷装置により印刷された印刷物とを読み取って前記目標印刷物と前記印刷物のそれぞれの読取画像を表す読取画像データを取得する画像読取部と、
前記画像読取部から得られる第１の色空間の信号値とデバイス非依存色空間である第２の色空間の色度値との対応関係を表す第１の色変換テーブルを用いて、前記第１の色空間の信号値を前記第２の色空間の色度値に変換する第１の色変換部と、
入力色変換テーブルと出力色変換テーブルを用いて原稿画像データを印刷画像データに色変換する第２の色変換部と、
前記印刷画像データにしたがって前記印刷装置により印刷された前記印刷物を前記画像読取部で読み取ることで得られる前記第１の色空間の信号値で表される印刷物読取画像データと前記原稿画像データとの位置関係を対応付ける処理及び前記目標印刷物を前記画像読取部で読み取ることで得られる前記第１の色空間の信号値で表される目標印刷物読取画像データと前記原稿画像データとの位置関係を対応付ける処理を行う画像対応付け部、又は、前記第１の色変換部によって前記印刷物読取画像データの信号値を前記第２の色空間の色度値に変換して得られる印刷物読取色度値画像データと前記原稿画像データとの位置関係を対応付ける処理及び前記第１の色変換部によって前記目標印刷物読取画像データの信号値を前記第２の色空間の色度値に変換して得られる目標印刷物読取色度値画像データと前記原稿画像データとの位置関係を対応付ける処理を行う画像対応付け部と、
デバイス依存色空間である第３の色空間の信号値で表される前記原稿画像データと前記画像対応付け部及び前記第１の色変換部による処理を経て得られる前記目標印刷物の色度値と前記印刷物の色度値との対応関係から、前記目標印刷物の色度値と前記印刷物の色度値の差分を基に、前記第２の色変換部に用いる色変換テーブルを作成する色変換テーブル作成部と、
を備える色変換テーブル作成装置。
【請求項２】
前記色変換テーブル作成部は、前記原稿画像データと前記目標印刷物の色度値と前記印刷物の色度値との対応関係に基づき、前記入力色変換テーブル又は前記出力色変換テーブルを修正することで前記第２の色変換部に用いる色変換テーブルを作成する請求項１に記載の色変換テーブル作成装置。
【請求項３】
前記色変換テーブル作成部は、前記原稿画像データと前記目標印刷物の色度値と前記印刷物の色度値との対応関係に基づき、前記入力色変換テーブルの出力値を補正する色補正テーブルを作成する請求項１又は２に記載の色変換テーブル作成装置。
【請求項４】
色再現特性の異なる複数の入力色変換テーブルが格納される入力色変換テーブルデータベースと、
前記入力色変換テーブルデータベースに格納されている前記複数の入力色変換テーブルの中から、前記原稿画像データと前記目標印刷物の色度値との対応関係に基づいて、前記第２の色変換部に適用する１つの入力色変換テーブルを選択する処理を行う入力色変換テーブル選択部と、
を備える請求項１から３のいずれか１項に記載の色変換テーブル作成装置。
【請求項５】
前記第１の色変換テーブルとして適用できる複数の色変換テーブルが格納される第１の色変換テーブルデータベースと、
前記第１の色変換テーブルデータベースに格納されている前記複数の色変換テーブルの中から１つの色変換テーブルを選択する第１の色変換テーブル選択部と、
を備え、
前記複数の色変換テーブルは、印刷装置による印刷物の作成に使用される色材種と基材種の組み合わせ毎の前記画像読取部の読取信号と色度値の対応関係を表す色変換テーブルを含む請求項１から４のいずれか１項に記載の色変換テーブル作成装置。
【請求項６】
前記目標印刷物と、前記印刷物と、前記目標印刷物及び前記印刷物とは別の色見本と、のうち少なくとも１つを測色対象として測色を行うことにより、前記測色対象の測色値を取得する測色部と、
前記測色部で測色値を取得した前記原稿画像データ上の位置に対応する原稿画像信号を取得する測色対象原稿画像信号取得部、及び前記測色部で測色値を取得した前記読取画像データ上の位置に対応する読取画像信号を取得する測色対象読取画像信号取得部のうち少なくとも１つを含む測色対象画像信号取得部と、
を備える請求項１から４のいずれか１項に記載の色変換テーブル作成装置。
【請求項７】
前記第１の色変換部による色変換の結果に対して、前記測色部で測色値を取得した前記原稿画像データの位置に対応する色度値を、前記測色部で取得した測色値で置き換える色度値置換部を備える請求項６に記載の色変換テーブル作成装置。
【請求項８】
前記第１の色変換テーブルとして適用できる複数の色変換テーブルが格納される第１の色変換テーブルデータベースと、
前記第１の色変換テーブルデータベースに格納されている前記複数の色変換テーブルの中から１つの色変換テーブルを選択する第１の色変換テーブル選択部と、
を備え、
前記複数の色変換テーブルは、印刷装置による印刷物の作成に使用される色材種と基材種の組み合わせ毎の前記画像読取部の読取信号と色度値の対応関係を表す色変換テーブルを含み、
前記第１の色変換テーブル選択部は、前記測色部で測色値を取得した前記読取画像データ上の位置に対応する読取画像信号と、前記測色部で取得した測色値との対応関係に基づいて、前記複数の色変換テーブルの中から１つの色変換テーブルを選択する処理を行う請求項６又は７に記載の色変換テーブル作成装置。
【請求項９】
前記測色部で測色値を取得した前記読取画像データ上の位置に対応する読取画像信号と、前記測色部で取得した測色値との対応関係に基づいて、前記第１の色変換テーブルを補正する第１の色変換テーブル補正部を備える請求項６から８のいずれか１項に記載の色変換テーブル作成装置。
【請求項１０】
デバイス依存色空間である第３の色空間の信号値で表される前記原稿画像データと前記画像対応付け部及び前記第１の色変換部による処理を経て得られる前記目標印刷物の読取画像の色度値との対応関係に基づいて、前記原稿画像データの前記第３の色空間と前記第２の色空間との多次元の対応関係を表す第２の色変換テーブルを作成する第２の色変換テーブル作成部を備え、
前記第２の色変換テーブル作成部により作成した前記第２の色変換テーブルを、前記第２の色変換部の入力色変換テーブルとして使用する請求項１から９のいずれか１項に記載の色変換テーブル作成装置。
【請求項１１】
前記画像対応付け部は、前記読取画像データの中から前記原稿画像データと対応する部分画像を抜き出す処理を行う画像抜き出し部を有する請求項１から１０のいずれか１項に記載の色変換テーブル作成装置。
【請求項１２】
前記画像対応付け部は、前記位置関係を対応付ける処理が行われた前記原稿画像データ及び前記読取画像データのそれぞれから、対応する色情報を抽出する色抽出処理を行う請求項１から１１のいずれか１項に記載の色変換テーブル作成装置。
【請求項１３】
前記色抽出処理は、
前記原稿画像データに着目領域を設定する処理と、
前記着目領域が第１の抽出条件を満たすか否かを判別する処理と、
前記第１の抽出条件を満たす前記着目領域の中から前記色情報としての前記原稿画像データの信号値を抽出し、かつ、前記位置関係を対応付ける処理が行われた前記読取画像データにおける前記第１の抽出条件を満たす前記着目領域に対応する位置の領域から前記色情報としての前記読取画像データの信号値を抽出する対応関係色情報抽出処理と、を含む請求項１２に記載の色変換テーブル作成装置。
【請求項１４】
前記第１の抽出条件は、前記着目領域内での色の差が、許容範囲として規定された第１の抽出用閾値以下であること、という条件を含む請求項１３に記載の色変換テーブル作成装置。
【請求項１５】
前記色抽出処理は、前記着目領域が第２の抽出条件を満たすか否かを判別する処理を含み、
前記対応関係色情報抽出処理として、前記第１の抽出条件を満たし、かつ、前記第２の抽出条件を満たす前記着目領域の中から前記色情報としての前記原稿画像データの信号値を抽出し、かつ、前記位置関係を対応付ける処理が行われた前記読取画像データにおける前記第１の抽出条件及び前記第２の抽出条件を満たす前記着目領域に対応する位置の領域から前記色情報としての前記読取画像データの信号値を抽出する処理を含む請求項１３又は１４に記載の色変換テーブル作成装置。
【請求項１６】
前記第２の抽出条件は、前記第１の抽出条件を満たす前記着目領域に対応する位置の領域内に前記読取画像データが存在すること、かつ、前記第１の抽出条件を満たす前記着目領域に対応する位置の前記読取画像データの領域内に画像欠陥が非存在であること、という条件を含む請求項１５に記載の色変換テーブル作成装置。
【請求項１７】
前記色抽出処理は、前記着目領域が第３の抽出条件を満たすか否かを判別する処理を含み、
前記対応関係色情報抽出処理として、前記第１の抽出条件を満たし、かつ、前記第３の抽出条件を満たす前記着目領域の中から前記色情報としての前記原稿画像データの信号値を抽出し、かつ、前記位置関係を対応付ける処理が行われた前記読取画像データにおける前記第１の抽出条件を満たす前記着目領域に対応する位置の領域から前記色情報としての前記読取画像データの信号値を抽出する処理が行われ、
前記第３の抽出条件として、表面加工が無い非表面加工領域であること、又は、表面加工が有る表面加工領域であること、のいずれか一方の条件が定められる請求項１３から１６のいずれか１項に記載の色変換テーブル作成装置。
【請求項１８】
前記画像対応付け部は、前記位置関係を対応付ける処理が行われた前記原稿画像データ及び前記第２の色空間の色度値で表された読取色度値画像データのそれぞれから、対応する色情報を抽出する色抽出処理を行う請求項１から１１のいずれか１項に記載の色変換テーブル作成装置。
【請求項１９】
前記色抽出処理は、
前記原稿画像データに着目領域を設定する処理と、
前記着目領域が第１の抽出条件を満たすか否かを判別する処理と、
前記第１の抽出条件を満たす前記着目領域の中から前記色情報としての前記原稿画像データの信号値を抽出し、かつ、前記位置関係を対応付ける処理が行われた前記読取色度値画像データにおける前記第１の抽出条件を満たす前記着目領域に対応する位置の領域から前記色情報としての前記読取色度値画像データの色度値を抽出する対応関係色情報抽出処理と、を含む請求項１８に記載の色変換テーブル作成装置。
【請求項２０】
前記第１の抽出条件は、前記着目領域内での色の差が、許容範囲として規定された第１の抽出用閾値以下であること、という条件を含む請求項１９に記載の色変換テーブル作成装置。
【請求項２１】
前記色抽出処理は、前記着目領域が第２の抽出条件を満たすか否かを判別する処理を含み、
前記対応関係色情報抽出処理として、前記第１の抽出条件を満たし、かつ、前記第２の抽出条件を満たす前記着目領域の中から前記色情報としての前記原稿画像データの信号値を抽出し、かつ、前記位置関係を対応付ける処理が行われた前記読取色度値画像データにおける前記第１の抽出条件及び前記第２の抽出条件を満たす前記着目領域に対応する位置の領域から前記色情報としての前記読取色度値画像データの色度値を抽出する処理を含む請求項１９又は２０に記載の色変換テーブル作成装置。
【請求項２２】
前記第２の抽出条件は、前記第１の抽出条件を満たす前記着目領域に対応する位置の領域内に前記読取画像データが存在すること、かつ、前記第１の抽出条件を満たす前記着目領域に対応する位置の前記読取画像データの領域内に画像欠陥が非存在であること、という条件を含む請求項２１に記載の色変換テーブル作成装置。
【請求項２３】
前記色抽出処理は、前記着目領域が第３の抽出条件を満たすか否かを判別する処理を含み、
前記対応関係色情報抽出処理として、前記第１の抽出条件を満たし、かつ、前記第３の抽出条件を満たす前記着目領域の中から前記色情報としての前記原稿画像データの信号値を抽出し、かつ、前記位置関係を対応付ける処理が行われた前記読取色度値画像データにおける前記第１の抽出条件及び前記第３の抽出条件を満たす前記着目領域に対応する位置の領域から前記色情報としての前記読取色度値画像データの色度値を抽出する処理が行われ、
前記第３の抽出条件として、表面加工が無い非表面加工領域であること、又は、表面加工が有る表面加工領域であること、のいずれか一方の条件が定められる請求項１９から２１のいずれか１項に記載の色変換テーブル作成装置。
【請求項２４】
前記画像読取部として、前記目標印刷物を読み取る第１の画像読取部と、前記印刷装置により印刷された前記印刷物を読み取る第２の画像読取部とを備えている請求項１から２３のいずれか１項に記載の色変換テーブル作成装置。
【請求項２５】
入力色変換テーブルと出力色変換テーブルを用いて原稿画像データを印刷画像データに色変換する原稿画像色変換工程と、
前記印刷画像データにしたがって印刷装置により印刷物を印刷する印刷工程と、
画像読取部によって前記印刷物を読み取って前記印刷物の読取画像を表す印刷物読取画像データを取得する工程と、
前記画像読取部によって目標印刷物を読み取って前記目標印刷物の読取画像を表す目標印刷物読取画像データを取得する工程と、
前記画像読取部から得られる第１の色空間の信号値とデバイス非依存色空間である第２の色空間の色度値との対応関係を表す第１の色変換テーブルを用いて、前記第１の色空間の信号値を前記第２の色空間の色度値に変換する読取画像色変換工程と、
前記印刷物を前記画像読取部で読み取ることで得られる前記第１の色空間の信号値で表される前記印刷物読取画像データと前記原稿画像データとの位置関係を対応付ける処理及び前記目標印刷物を前記画像読取部で読み取ることで得られる前記第１の色空間の信号値で表される前記目標印刷物読取画像データと前記原稿画像データとの位置関係を対応付ける処理を行う画像対応付け工程、又は、前記読取画像色変換工程によって前記印刷物読取画像データの信号値を前記第２の色空間の色度値に変換して得られる印刷物読取色度値画像データと前記原稿画像データとの位置関係を対応付ける処理及び前記読取画像色変換工程によって前記目標印刷物読取画像データの信号値を前記第２の色空間の色度値に変換して得られる目標印刷物読取色度値画像データと前記原稿画像データとの位置関係を対応付ける処理を行う画像対応付け工程と、
デバイス依存色空間である第３の色空間の信号値で表される前記原稿画像データと前記画像対応付け工程及び前記読取画像色変換工程による処理を経て得られる前記目標印刷物の色度値と前記印刷物の色度値との対応関係から、前記目標印刷物の色度値と前記印刷物の色度値の差分を基に、前記原稿画像色変換工程の色変換に用いる色変換テーブルを作成する色変換テーブル作成工程と、
を備える色変換テーブル作成方法。
【請求項２６】
前記色変換テーブル作成工程で作成した色変換テーブルを前記原稿画像色変換工程の色変換に用いて、再度、前記原稿画像色変換工程、前記印刷工程、前記印刷物読取画像データを取得する工程、前記読取画像色変換工程、前記画像対応付け工程、前記色変換テーブル作成工程、を繰り返す請求項２５に記載の色変換テーブル作成方法。
【請求項２７】
目標印刷物と印刷装置により印刷された印刷物とを読み取る画像読取部から前記目標印刷物と前記印刷物のそれぞれの読取画像を表す読取画像データを取得する機能と、
前記画像読取部から得られる第１の色空間の信号値とデバイス非依存色空間である第２の色空間の色度値との対応関係を表す第１の色変換テーブルを用いて、前記第１の色空間の信号値を前記第２の色空間の色度値に変換する第１の色変換機能と、
入力色変換テーブルと出力色変換テーブルを用いて原稿画像データを印刷画像データに色変換する第２の色変換機能と、
前記印刷画像データにしたがって前記印刷装置により印刷された前記印刷物を前記画像読取部で読み取ることで得られる前記第１の色空間の信号値で表される印刷物読取画像データと前記原稿画像データとの位置関係を対応付ける処理及び前記目標印刷物を前記画像読取部で読み取ることで得られる前記第１の色空間の信号値で表される目標印刷物読取画像データと前記原稿画像データとの位置関係を対応付ける処理を行う画像対応付け機能、又は、前記第１の色変換機能によって前記印刷物読取画像データの信号値を前記第２の色空間の色度値に変換して得られる印刷物読取色度値画像データと前記原稿画像データとの位置関係を対応付ける処理及び前記第１の色変換機能によって前記目標印刷物読取画像データの信号値を前記第２の色空間の色度値に変換して得られる目標印刷物読取色度値画像データと前記原稿画像データとの位置関係を対応付ける処理を行う画像対応付け機能と、
デバイス依存色空間である第３の色空間の信号値で表される前記原稿画像データと前記画像対応付け機能及び前記第１の色変換機能による処理を経て得られる前記目標印刷物の色度値と前記印刷物の色度値との対応関係から、前記目標印刷物の色度値と前記印刷物の色度値の差分を基に、前記第２の色変換機能に用いる色変換テーブルを作成する色変換テーブル作成機能と、
をコンピュータに実現させるプログラム。
【請求項２８】
目標印刷物を読み取って前記目標印刷物の読取画像を表す読取画像データを取得する第１の画像読取部と、
印刷装置により印刷された印刷物を読み取って前記印刷物の読取画像を表す読取画像データを取得する第２の画像読取部と、
前記第１の画像読取部及び前記第２の画像読取部のそれぞれから得られる第１の色空間の信号値とデバイス非依存色空間である第２の色空間の色度値との対応関係を表す第１の色変換テーブルを用いて、前記第１の色空間の信号値を前記第２の色空間の色度値に変換する第１の色変換部と、
入力色変換テーブルと出力色変換テーブルを用いて原稿画像データを印刷画像データに色変換する第２の色変換部と、
前記印刷画像データにしたがって前記印刷装置により印刷された前記印刷物を前記第２の画像読取部で読み取ることで得られる前記第１の色空間の信号値で表される印刷物読取画像データと前記原稿画像データとの位置関係を対応付ける処理及び前記目標印刷物を前記第１の画像読取部で読み取ることで得られる前記第１の色空間の信号値で表される目標印刷物読取画像データと前記原稿画像データとの位置関係を対応付ける処理を行う画像対応付け部、又は、前記第１の色変換部によって前記印刷物読取画像データの信号値を前記第２の色空間の色度値に変換して得られる印刷物読取色度値画像データと前記原稿画像データとの位置関係を対応付ける処理及び前記第１の色変換部によって前記目標印刷物読取画像データの信号値を前記第２の色空間の色度値に変換して得られる目標印刷物読取色度値画像データと前記原稿画像データとの位置関係を対応付ける処理を行う画像対応付け部と、
デバイス依存色空間である第３の色空間の信号値で表される前記原稿画像データと前記画像対応付け部及び前記第１の色変換部による処理を経て得られる前記目標印刷物の色度値と前記印刷物の色度値との対応関係から、前記目標印刷物の色度値と前記印刷物の色度値の差分を基に、前記第２の色変換部に用いる色変換テーブルを作成する色変換テーブル作成部と、
を備える色変換テーブル作成装置。
【請求項２９】
前記第２の画像読取部は、前記印刷装置に内蔵されたインラインセンサである請求項２４又は２８に記載の色変換テーブル作成装置。
【請求項３０】
第１の画像読取部によって目標印刷物を読み取って前記目標印刷物の読取画像を表す目標印刷物読取画像データを取得する工程と、
入力色変換テーブルと出力色変換テーブルを用いて原稿画像データを印刷画像データに色変換する原稿画像色変換工程と、
前記印刷画像データにしたがって印刷装置により印刷物を印刷する印刷工程と、
第２の画像読取部によって前記印刷物を読み取って前記印刷物の読取画像を表す印刷物読取画像データを取得する工程と、
前記第１の画像読取部及び前記第２の画像読取部のそれぞれから得られる第１の色空間の信号値とデバイス非依存色空間である第２の色空間の色度値との対応関係を表す第１の色変換テーブルを用いて、前記第１の色空間の信号値を前記第２の色空間の色度値に変換する読取画像色変換工程と、
前記印刷物を前記第２の画像読取部で読み取ることで得られる前記第１の色空間の信号値で表される前記印刷物読取画像データと前記原稿画像データとの位置関係を対応付ける処理及び前記目標印刷物を前記第１の画像読取部で読み取ることで得られる前記第１の色空間の信号値で表される前記目標印刷物読取画像データと前記原稿画像データとの位置関係を対応付ける処理を行う画像対応付け工程、又は、前記読取画像色変換工程によって前記印刷物読取画像データの信号値を前記第２の色空間の色度値に変換して得られる印刷物読取色度値画像データと前記原稿画像データとの位置関係を対応付ける処理及び前記読取画像色変換工程によって前記目標印刷物読取画像データの信号値を前記第２の色空間の色度値に変換して得られる目標印刷物読取色度値画像データと前記原稿画像データとの位置関係を対応付ける処理を行う画像対応付け工程と、
デバイス依存色空間である第３の色空間の信号値で表される前記原稿画像データと前記画像対応付け工程及び前記読取画像色変換工程による処理を経て得られる前記目標印刷物の色度値と前記印刷物の色度値との対応関係から、前記目標印刷物の色度値と前記印刷物の色度値の差分を基に、前記原稿画像色変換工程の色変換に用いる色変換テーブルを作成する色変換テーブル作成工程と、
を備える色変換テーブル作成方法。
【請求項３１】
目標印刷物を読み取る第１の画像読取部から前記目標印刷物の読取画像を表す読取画像データを取得する機能と、
印刷装置により印刷された印刷物を読み取る第２の画像読取部から前記印刷物の読取画像を表す読取画像データを取得する機能と、
前記第１の画像読取部及び前記第２の画像読取部のそれぞれから得られる第１の色空間の信号値とデバイス非依存色空間である第２の色空間の色度値との対応関係を表す第１の色変換テーブルを用いて、前記第１の色空間の信号値を前記第２の色空間の色度値に変換する第１の色変換機能と、
入力色変換テーブルと出力色変換テーブルを用いて原稿画像データを印刷画像データに色変換する第２の色変換機能と、
前記印刷画像データにしたがって前記印刷装置により印刷された前記印刷物を前記第２の画像読取部で読み取ることで得られる前記第１の色空間の信号値で表される印刷物読取画像データと前記原稿画像データとの位置関係を対応付ける処理及び前記目標印刷物を前記第１の画像読取部で読み取ることで得られる前記第１の色空間の信号値で表される目標印刷物読取画像データと前記原稿画像データとの位置関係を対応付ける処理を行う画像対応付け機能、又は、前記第１の色変換機能によって前記印刷物読取画像データの信号値を前記第２の色空間の色度値に変換して得られる印刷物読取色度値画像データと前記原稿画像データとの位置関係を対応付ける処理及び前記第１の色変換機能によって前記目標印刷物読取画像データの信号値を前記第２の色空間の色度値に変換して得られる目標印刷物読取色度値画像データと前記原稿画像データとの位置関係を対応付ける処理を行う画像対応付け機能と、
デバイス依存色空間である第３の色空間の信号値で表される前記原稿画像データと前記画像対応付け機能及び前記第１の色変換機能による処理を経て得られる前記目標印刷物の色度値と前記印刷物の色度値との対応関係から、前記目標印刷物の色度値と前記印刷物の色度値の差分を基に、前記第２の色変換機能に用いる色変換テーブルを作成する色変換テーブル作成機能と、
をコンピュータに実現させるプログラム。
【手続補正２】
【補正対象書類名】明細書
【補正対象項目名】００１８
【補正方法】変更
【補正の内容】
【００１８】
入力色変換テーブルは、第３の色空間と第２の色空間との多次元の対応関係を規定するものであり、出力色変換テーブルは第２の色空間と印刷装置への供給に適した色空間（デバイス依存色空間である第３の色空間）との多次元の対応関係を規定するものである。第２態様によれば、目標印刷物の色度値と印刷物の色度値の差分を基に、入力色変換テーブル又は出力色変換テーブルを修正することで、修正後の多次元の色変換テーブルを得ることができる。
【手続補正３】
【補正対象書類名】明細書
【補正対象項目名】００２２
【補正方法】変更
【補正の内容】
【００２２】
例えば、入力色変換テーブル選択部は、原稿画像信号に対する読取色度値と、入力色変換テーブルデータベースに格納されている各入力色変換テーブルで規定されている色度値との色差を算出し、色差の平均値（「平均色差」という。）又は色差の最大値（「最大色差」という。）が最も小さくなる入力色変換テーブルを選択する構成とすることができる。
【手続補正４】
【補正対象書類名】明細書
【補正対象項目名】００２４
【補正方法】変更
【補正の内容】
【００２４】
第５態様として、第１態様から第４態様のいずれか１態様に記載の色変換テーブル作成装置において、第１の色変換テーブルとして適用できる複数の色変換テーブルが格納される第１の色変換テーブルデータベースと、第１の色変換テーブルデータベースに格納されている複数の色変換テーブルの中から１つの色変換テーブルを選択する第１の色変換テーブル選択部と、を備え、複数の色変換テーブルは、印刷装置による印刷物の作成に使用される色材種と基材種の組み合わせ毎の画像読取部の読取信号と色度値の対応関係を表す色変換テーブルを含む構成とすることができる。
第６態様として、第１態様から第４態様のいずれか１態様に記載の色変換テーブル作成装置において、目標印刷物と、印刷物と、目標印刷物及び印刷物とは別の色見本と、のうち少なくとも１つを測色対象として測色を行うことにより、測色対象の測色値を取得する測色部と、測色部で測色値を取得した原稿画像データ上の位置に対応する原稿画像信号を取得する測色対象原稿画像信号取得部、及び測色部で測色値を取得した読取画像データ上の位置に対応する読取画像信号を取得する測色対象読取画像信号取得部のうち少なくとも１つを含む測色対象画像信号取得部と、を備える構成とすることができる。
【手続補正５】
【補正対象書類名】明細書
【補正対象項目名】００２５
【補正方法】変更
【補正の内容】
【００２５】
測色部として分光測色器を用いることが望ましい。第６態様によれば、画像読取部による読取画像から把握される色度値の誤差を低減し、色合わせの精度をさらに向上させることができる。
【手続補正６】
【補正対象書類名】明細書
【補正対象項目名】００２６
【補正方法】変更
【補正の内容】
【００２６】
第７態様として、第６態様に記載の色変換テーブル作成装置に置いて、第１の色変換部による色変換の結果に対して、測色部で測色値を取得した原稿画像データの位置に対応する色度値を、測色部で取得した測色値で置き換える色度値置換部を備える構成とすることができる。
【手続補正７】
【補正対象書類名】明細書
【補正対象項目名】００２７
【補正方法】変更
【補正の内容】
【００２７】
第８態様として、第６態様又は第７態様に記載の色変換テーブル作成装置において、第１の色変換テーブルとして適用できる複数の色変換テーブルが格納される第１の色変換テーブルデータベースと、第１の色変換テーブルデータベースに格納されている複数の色変換テーブルの中から１つの色変換テーブルを選択する第１の色変換テーブル選択部と、を備え、複数の色変換テーブルは、印刷装置による印刷物の作成に使用される色材種と基材種の組み合わせ毎の画像読取部の読取信号と色度値の対応関係を表す色変換テーブルを含み、第１の色変換テーブル選択部は、測色部で測色値を取得した読取画像データ上の位置に対応する読取画像信号と、測色部で取得した測色値との対応関係に基づいて、複数の色変換テーブルの中から１つの色変換テーブルを選択する処理を行う構成とすることができる。
【手続補正８】
【補正対象書類名】明細書
【補正対象項目名】００２９
【補正方法】変更
【補正の内容】
【００２９】
第８態様によれば、画像読取部による読取画像から求められる色度値の精度をより一層高めることができる。
【手続補正９】
【補正対象書類名】明細書
【補正対象項目名】００３０
【補正方法】変更
【補正の内容】
【００３０】
第９態様として、第６態様から第８態様のいずれか１態様に記載の色変換テーブル作成装置において、測色部で測色値を取得した読取画像データ上の位置に対応する読取画像信号と、測色部で取得した測色値との対応関係に基づいて、第１の色変換テーブルを補正する第１の色変換テーブル補正部を備える構成とすることができる。
【手続補正１０】
【補正対象書類名】明細書
【補正対象項目名】００３１
【補正方法】変更
【補正の内容】
【００３１】
第９態様によれば、画像読取部を介して取得される色度値を、測色部から得られる測色値に近づけることができ、色度値の精度を高めることができる。
【手続補正１１】
【補正対象書類名】明細書
【補正対象項目名】００３２
【補正方法】変更
【補正の内容】
【００３２】
第１０態様として、第１態様から第９態様のいずれか１態様に記載の色変換テーブル作成装置において、デバイス依存色空間である第３の色空間の信号値で表される原稿画像データと画像対応付け部及び第１の色変換部による処理を経て得られる目標印刷物の読取画像の色度値との対応関係に基づいて、原稿画像データの第３の色空間と第２の色空間との多次元の対応関係を表す第２の色変換テーブルを作成する第２の色変換テーブル作成部を備え、第２の色変換テーブル作成部により作成した第２の色変換テーブルを、第２の色変換部の入力色変換テーブルとして使用する構成とすることができる。
【手続補正１２】
【補正対象書類名】明細書
【補正対象項目名】００３３
【補正方法】変更
【補正の内容】
【００３３】
第１０態様によれば、初回の印刷での色再現の精度が向上し、色合わせの収束が速くなる。
【手続補正１３】
【補正対象書類名】明細書
【補正対象項目名】００３４
【補正方法】変更
【補正の内容】
【００３４】
第１１態様として、第１態様から第１０態様のいずれか１態様に記載の色変換テーブル作成装置において、画像対応付け部は、読取画像データの中から原稿画像データと対応する部分画像を抜き出す処理を行う画像抜き出し部を有する構成とすることができる。
【手続補正１４】
【補正対象書類名】明細書
【補正対象項目名】００３５
【補正方法】変更
【補正の内容】
【００３５】
第１１態様によれば、原稿画像データと目標印刷物や印刷物の印刷面の画像内容とが一対一に対応していない場合でも目的の色合わせが可能である。
【手続補正１５】
【補正対象書類名】明細書
【補正対象項目名】００３６
【補正方法】変更
【補正の内容】
【００３６】
第１２態様として、第１態様から第１１態様のいずれか１態様に記載の色変換テーブル作成装置において、画像対応付け部は、位置関係を対応付ける処理が行われた原稿画像データ及び読取画像データのそれぞれから、対応する色情報を抽出する色抽出処理を行う構成とすることができる。
【手続補正１６】
【補正対象書類名】明細書
【補正対象項目名】００３８
【補正方法】変更
【補正の内容】
【００３８】
第１３態様として、第１２態様の色変換テーブル作成装置において、色抽出処理は、原稿画像データに着目領域を設定する処理と、着目領域が第１の抽出条件を満たすか否かを判別する処理と、第１の抽出条件を満たす着目領域の中から色情報としての原稿画像データの信号値を抽出し、かつ、位置関係を対応付ける処理が行われた読取画像データにおける第１の抽出条件を満たす着目領域に対応する位置の領域から色情報としての読取画像データの信号値を抽出する対応関係色情報抽出処理と、を含む構成とすることができる。
【手続補正１７】
【補正対象書類名】明細書
【補正対象項目名】００３９
【補正方法】変更
【補正の内容】
【００３９】
第１４態様として、第１３態様の色変換テーブル作成装置において、第１の抽出条件は、着目領域内での色の差が、許容範囲として規定された第１の抽出用閾値以下であること、という条件を含む構成とすることができる。
【手続補正１８】
【補正対象書類名】明細書
【補正対象項目名】００４０
【補正方法】変更
【補正の内容】
【００４０】
第１５態様として、第１３態様又は第１４態様の色変換テーブル作成装置において、色抽出処理は、着目領域が第２の抽出条件を満たすか否かを判別する処理を含み、対応関係色情報抽出処理として、第１の抽出条件を満たし、かつ、第２の抽出条件を満たす着目領域の中から色情報としての原稿画像データの信号値を抽出し、かつ、位置関係を対応付ける処理が行われた読取画像データにおける第１の抽出条件及び第２の抽出条件を満たす着目領域に対応する位置の領域から色情報としての読取画像データの信号値を抽出する処理を含む構成とすることができる。
【手続補正１９】
【補正対象書類名】明細書
【補正対象項目名】００４１
【補正方法】変更
【補正の内容】
【００４１】
第１６態様として、第１５態様の色変換テーブル作成装置において、第２の抽出条件は、第１の抽出条件を満たす着目領域に対応する位置の領域内に読取画像データが存在すること、かつ、第１の抽出条件を満たす着目領域に対応する位置の読取画像データの領域内に画像欠陥が非存在であること、という条件を含む構成とすることができる。
【手続補正２０】
【補正対象書類名】明細書
【補正対象項目名】００４３
【補正方法】変更
【補正の内容】
【００４３】
第１７態様として、第１３態様から第１６態様のいずれか１態様の色変換テーブル作成装置において、色抽出処理は、着目領域が第３の抽出条件を満たすか否かを判別する処理を含み、対応関係色情報抽出処理として、第１の抽出条件を満たし、かつ、第３の抽出条件を満たす着目領域の中から色情報としての原稿画像データの信号値を抽出し、かつ、位置関係を対応付ける処理が行われた読取画像データにおける第１の抽出条件を満たす着目領域に対応する位置の領域から色情報としての読取画像データの信号値を抽出する処理が行われ、第３の抽出条件として、表面加工が無い非表面加工領域であること、又は、表面加工が有る表面加工領域であること、のいずれか一方の条件が定められる構成とすることができる。
【手続補正２１】
【補正対象書類名】明細書
【補正対象項目名】００４４
【補正方法】変更
【補正の内容】
【００４４】
第１８態様として、第１態様から第１１態様のいずれか１態様の色変換テーブル作成装置において、画像対応付け部は、位置関係を対応付ける処理が行われた原稿画像データ及び第２の色空間の色度値で表された読取色度値画像データのそれぞれから、対応する色情報を抽出する色抽出処理を行う構成とすることができる。
【手続補正２２】
【補正対象書類名】明細書
【補正対象項目名】００４５
【補正方法】変更
【補正の内容】
【００４５】
第１９態様として、第１８態様の色変換テーブル作成装置において、色抽出処理は、原稿画像データに着目領域を設定する処理と、着目領域が第１の抽出条件を満たすか否かを判別する処理と、第１の抽出条件を満たす着目領域の中から色情報としての原稿画像データの信号値を抽出し、かつ、位置関係を対応付ける処理が行われた読取色度値画像データにおける第１の抽出条件を満たす着目領域に対応する位置の領域から色情報としての読取色度値画像データの色度値を抽出する対応関係色情報抽出処理と、を含む構成とすることができる。
【手続補正２３】
【補正対象書類名】明細書
【補正対象項目名】００４６
【補正方法】変更
【補正の内容】
【００４６】
第２０態様として、第１９態様の色変換テーブル作成装置において、第１の抽出条件は、着目領域内での色の差が、許容範囲として規定された第１の抽出用閾値以下であること、という条件を含む構成とすることができる。
【手続補正２４】
【補正対象書類名】明細書
【補正対象項目名】００４７
【補正方法】変更
【補正の内容】
【００４７】
第２１態様として、第１９態様又は第２０態様の色変換テーブル作成装置において、色抽出処理は、着目領域が第２の抽出条件を満たすか否かを判別する処理を含み、対応関係色情報抽出処理として、第１の抽出条件を満たし、かつ、第２の抽出条件を満たす着目領域の中から色情報としての原稿画像データの信号値を抽出し、かつ、位置関係を対応付ける処理が行われた読取色度値画像データにおける第１の抽出条件及び第２の抽出条件を満たす着目領域に対応する位置の領域から色情報としての読取色度値画像データの色度値を抽出する処理を含む構成とすることができる。
【手続補正２５】
【補正対象書類名】明細書
【補正対象項目名】００４８
【補正方法】変更
【補正の内容】
【００４８】
第２２態様として、第２１態様の色変換テーブル作成装置において、第２の抽出条件は、第１の抽出条件を満たす着目領域に対応する位置の領域内に読取画像データが存在すること、かつ、第１の抽出条件を満たす着目領域に対応する位置の読取画像データの領域内に画像欠陥が非存在であること、という条件を含む構成とすることができる。
【手続補正２６】
【補正対象書類名】明細書
【補正対象項目名】００４９
【補正方法】変更
【補正の内容】
【００４９】
第２３態様として、第１９態様から第２２態様のいずれか１態様の色変換テーブル作成装置において、色抽出処理は、着目領域が第３の抽出条件を満たすか否かを判別する処理を含み、対応関係色情報抽出処理として、第１の抽出条件を満たし、かつ、第３の抽出条件を満たす着目領域の中から色情報としての原稿画像データの信号値を抽出し、かつ、位置関係を対応付ける処理が行われた読取色度値画像データにおける第１の抽出条件及び第３の抽出条件を満たす着目領域に対応する位置の領域から色情報としての読取色度値画像データの色度値を抽出する処理が行われ、第３の抽出条件として、表面加工が無い非表面加工領域であること、又は、表面加工が有る表面加工領域であること、のいずれか一方の条件が定められる構成とすることができる。
【手続補正２７】
【補正対象書類名】明細書
【補正対象項目名】００５０
【補正方法】変更
【補正の内容】
【００５０】
第２４態様として、第１態様から第２３態様のいずれか１態様の色変換テーブル作成装置において、画像読取部として、目標印刷物を読み取る第１の画像読取部と、印刷装置により印刷された印刷物を読み取る第２の画像読取部とを備える構成とすることができる。
【手続補正２８】
【補正対象書類名】明細書
【補正対象項目名】００５３
【補正方法】変更
【補正の内容】
【００５３】
第２５態様に係る色変換テーブル作成方法は、入力色変換テーブルと出力色変換テーブルを用いて原稿画像データを印刷画像データに色変換する原稿画像色変換工程と、印刷画像データにしたがって印刷装置により印刷物を印刷する印刷工程と、画像読取部によって印刷物を読み取って印刷物の読取画像を表す印刷物読取画像データを取得する工程と、画像読取部によって目標印刷物を読み取って目標印刷物の読取画像を表す目標印刷物読取画像データを取得する工程と、画像読取部から得られる第１の色空間の信号値とデバイス非依存色空間である第２の色空間の色度値との対応関係を表す第１の色変換テーブルを用いて、第１の色空間の信号値を第２の色空間の色度値に変換する読取画像色変換工程と、印刷物を画像読取部で読み取ることで得られる第１の色空間の信号値で表される印刷物読取画像データと原稿画像データとの位置関係を対応付ける処理及び目標印刷物を画像読取部で読み取ることで得られる第１の色空間の信号値で表される目標印刷物読取画像データと原稿画像データとの位置関係を対応付ける処理を行う画像対応付け工程、又は、読取画像色変換工程によって印刷物読取画像データの信号値を第２の色空間の色度値に変換して得られる印刷物読取色度値画像データと原稿画像データとの位置関係を対応付ける処理及び読取画像色変換工程によって目標印刷物読取画像データの信号値を第２の色空間の色度値に変換して得られる目標印刷物読取色度値画像データと原稿画像データとの位置関係を対応付ける処理を行う画像対応付け工程と、デバイス依存色空間である第３の色空間の信号値で表される原稿画像データと画像対応付け工程及び読取画像色変換工程による処理を経て得られる目標印刷物の色度値と印刷物の色度値との対応関係から、目標印刷物の色度値と印刷物の色度値の差分を基に、原稿画像色変換工程の色変換に用いる色変換テーブルを作成する色変換テーブル作成工程と、を備える。
【手続補正２９】
【補正対象書類名】明細書
【補正対象項目名】００５４
【補正方法】変更
【補正の内容】
【００５４】
第２５態様の色変換テーブル作成方法において、第２態様から第２４態様で特定した色変換テーブル作成装置の特定事項と同様の事項を適宜組み合わせることができる。その場合、色変換テーブル作成装置において特定される処理や機能を担う手段としての処理部や機能部は、これに対応する処理や動作の「工程（ステップ）」の要素として把握することができる。
【手続補正３０】
【補正対象書類名】明細書
【補正対象項目名】００５５
【補正方法】変更
【補正の内容】
【００５５】
第２６態様として、第２５態様に記載の色変換テーブル作成方法において、色変換テーブル作成工程で作成した色変換テーブルを原稿画像色変換工程の色変換に用いて、再度、原稿画像色変換工程、印刷工程、印刷物読取画像データを取得する工程、読取画像色変換工程、画像対応付け工程、色変換テーブル作成工程、を繰り返す構成とすることができる。
【手続補正３１】
【補正対象書類名】明細書
【補正対象項目名】００５７
【補正方法】変更
【補正の内容】
【００５７】
第２７態様に係るプログラムは、目標印刷物と印刷装置により印刷された印刷物とを読み取る画像読取部から目標印刷物と印刷物のそれぞれの読取画像を表す読取画像データを取得する機能と、画像読取部から得られる第１の色空間の信号値とデバイス非依存色空間である第２の色空間の色度値との対応関係を表す第１の色変換テーブルを用いて、第１の色空間の信号値を第２の色空間の色度値に変換する第１の色変換機能と、入力色変換テーブルと出力色変換テーブルを用いて原稿画像データを印刷画像データに色変換する第２の色変換機能と、印刷画像データにしたがって印刷装置により印刷された印刷物を画像読取部で読み取ることで得られる第１の色空間の信号値で表される印刷物読取画像データと原稿画像データとの位置関係を対応付ける処理及び目標印刷物を画像読取部で読み取ることで得られる第１の色空間の信号値で表される目標印刷物読取画像データと原稿画像データとの位置関係を対応付ける処理を行う画像対応付け機能、又は、第１の色変換機能によって印刷物読取画像データの信号値を第２の色空間の色度値に変換して得られる印刷物読取色度値画像データと原稿画像データとの位置関係を対応付ける処理及び第１の色変換機能によって目標印刷物読取画像データの信号値を第２の色空間の色度値に変換して得られる目標印刷物読取色度値画像データと原稿画像データとの位置関係を対応付ける処理を行う画像対応付け機能と、デバイス依存色空間である第３の色空間の信号値で表される原稿画像データと画像対応付け機能及び第１の色変換機能による処理を経て得られる目標印刷物の色度値と印刷物の色度値との対応関係から、目標印刷物の色度値と印刷物の色度値の差分を基に、第２の色変換機能に用いる色変換テーブルを作成する色変換テーブル作成機能と、をコンピュータに実現させるプログラムである。
【手続補正３２】
【補正対象書類名】明細書
【補正対象項目名】００５８
【補正方法】変更
【補正の内容】
【００５８】
第２７態様のプログラムについて、第２態様から第２４態様で特定した色変換テーブル作成装置の特定事項と同様の事項を適宜組み合わせることができる。その場合、色変換テーブル作成装置において特定される処理や機能を担う手段としての処理部や機能部は、これに対応する処理や動作を行うプログラムの「機能」の要素として把握することができる。
【手続補正３３】
【補正対象書類名】明細書
【補正対象項目名】００５９
【補正方法】変更
【補正の内容】
【００５９】
第２８態様に係る色変換テーブル作成装置は、目標印刷物を読み取って目標印刷物の読取画像を表す読取画像データを取得する第１の画像読取部と、印刷装置により印刷された印刷物を読み取って印刷物の読取画像を表す読取画像データを取得する第２の画像読取部と、第１の画像読取部及び第２の画像読取部のそれぞれから得られる第１の色空間の信号値とデバイス非依存色空間である第２の色空間の色度値との対応関係を表す第１の色変換テーブルを用いて、第１の色空間の信号値を第２の色空間の色度値に変換する第１の色変換部と、入力色変換テーブルと出力色変換テーブルを用いて原稿画像データを印刷画像データに色変換する第２の色変換部と、印刷画像データにしたがって印刷装置により印刷された印刷物を第２の画像読取部で読み取ることで得られる第１の色空間の信号値で表される印刷物読取画像データと原稿画像データとの位置関係を対応付ける処理及び目標印刷物を第１の画像読取部で読み取ることで得られる第１の色空間の信号値で表される目標印刷物読取画像データと原稿画像データとの位置関係を対応付ける処理を行う画像対応付け部、又は、第１の色変換部によって印刷物読取画像データの信号値を第２の色空間の色度値に変換して得られる印刷物読取色度値画像データと原稿画像データとの位置関係を対応付ける処理及び第１の色変換部によって目標印刷物読取画像データの信号値を第２の色空間の色度値に変換して得られる目標印刷物読取色度値画像データと原稿画像データとの位置関係を対応付ける処理を行う画像対応付け部と、デバイス依存色空間である第３の色空間の信号値で表される原稿画像データと画像対応付け部及び第１の色変換部による処理を経て得られる目標印刷物の色度値と印刷物の色度値との対応関係から、目標印刷物の色度値と印刷物の色度値の差分を基に、第２の色変換部に用いる色変換テーブルを作成する色変換テーブル作成部と、を備える色変換テーブル作成装置である。
【手続補正３４】
【補正対象書類名】明細書
【補正対象項目名】００６０
【補正方法】変更
【補正の内容】
【００６０】
第２８態様の色変換テーブル作成装置において、第２態様から第２３態様で特定した色変換テーブル作成装置の特定事項と同様の事項を適宜組み合わせることができる。
【手続補正３５】
【補正対象書類名】明細書
【補正対象項目名】００６１
【補正方法】変更
【補正の内容】
【００６１】
第２９態様として、第２４態様又は第２８態様の色変換テーブル作成装置において、第２の画像読取部は、印刷装置に内蔵されたインラインセンサである構成とすることができる。
【手続補正３６】
【補正対象書類名】明細書
【補正対象項目名】００６２
【補正方法】変更
【補正の内容】
【００６２】
第３０態様に係る色変換テーブル作成方法は、第１の画像読取部によって目標印刷物を読み取って目標印刷物の読取画像を表す目標印刷物読取画像データを取得する工程と、入力色変換テーブルと出力色変換テーブルを用いて原稿画像データを印刷画像データに色変換する原稿画像色変換工程と、印刷画像データにしたがって印刷装置により印刷物を印刷する印刷工程と、第２の画像読取部によって印刷物を読み取って印刷物の読取画像を表す印刷物読取画像データを取得する工程と、第１の画像読取部及び第２の画像読取部のそれぞれから得られる第１の色空間の信号値とデバイス非依存色空間である第２の色空間の色度値との対応関係を表す第１の色変換テーブルを用いて、第１の色空間の信号値を第２の色空間の色度値に変換する読取画像色変換工程と、印刷物を第２の画像読取部で読み取ることで得られる第１の色空間の信号値で表される印刷物読取画像データと原稿画像データとの位置関係を対応付ける処理及び目標印刷物を第１の画像読取部で読み取ることで得られる第１の色空間の信号値で表される目標印刷物読取画像データと原稿画像データとの位置関係を対応付ける処理を行う画像対応付け工程、又は、読取画像色変換工程によって印刷物読取画像データの信号値を第２の色空間の色度値に変換して得られる印刷物読取色度値画像データと原稿画像データとの位置関係を対応付ける処理及び読取画像色変換工程によって目標印刷物読取画像データの信号値を第２の色空間の色度値に変換して得られる目標印刷物読取色度値画像データと原稿画像データとの位置関係を対応付ける処理を行う画像対応付け工程と、デバイス依存色空間である第３の色空間の信号値で表される原稿画像データと画像対応付け工程及び読取画像色変換工程による処理を経て得られる目標印刷物の色度値と印刷物の色度値との対応関係から、目標印刷物の色度値と印刷物の色度値の差分を基に、原稿画像色変換工程の色変換に用いる色変換テーブルを作成する色変換テーブル作成工程と、を備える色変換テーブル作成方法である。
【手続補正３７】
【補正対象書類名】明細書
【補正対象項目名】００６３
【補正方法】変更
【補正の内容】
【００６３】
第３０態様の色変換テーブル作成方法において、第２態様から第２３態様並びに第２９態様で特定した色変換テーブル作成装置の特定事項と同様の事項を適宜組み合わせることができる。その場合、色変換テーブル作成装置において特定される処理や機能を担う手段としての処理部や機能部は、これに対応する処理や動作の「工程（ステップ）」の要素として把握することができる。
【手続補正３８】
【補正対象書類名】明細書
【補正対象項目名】００６４
【補正方法】変更
【補正の内容】
【００６４】
第３１態様に係るプログラムは、目標印刷物を読み取る第１の画像読取部から目標印刷物の読取画像を表す読取画像データを取得する機能と、印刷装置により印刷された印刷物を読み取る第２の画像読取部から印刷物の読取画像を表す読取画像データを取得する機能と、第１の画像読取部及び第２の画像読取部のそれぞれから得られる第１の色空間の信号値とデバイス非依存色空間である第２の色空間の色度値との対応関係を表す第１の色変換テーブルを用いて、第１の色空間の信号値を第２の色空間の色度値に変換する第１の色変換機能と、入力色変換テーブルと出力色変換テーブルを用いて原稿画像データを印刷画像データに色変換する第２の色変換機能と、印刷画像データにしたがって印刷装置により印刷された印刷物を第２の画像読取部で読み取ることで得られる第１の色空間の信号値で表される印刷物読取画像データと原稿画像データとの位置関係を対応付ける処理及び目標印刷物を第１の画像読取部で読み取ることで得られる第１の色空間の信号値で表される目標印刷物読取画像データと原稿画像データとの位置関係を対応付ける処理を行う画像対応付け機能、又は、第１の色変換機能によって印刷物読取画像データの信号値を第２の色空間の色度値に変換して得られる印刷物読取色度値画像データと原稿画像データとの位置関係を対応付ける処理及び第１の色変換機能によって目標印刷物読取画像データの信号値を第２の色空間の色度値に変換して得られる目標印刷物読取色度値画像データと原稿画像データとの位置関係を対応付ける処理を行う画像対応付け機能と、デバイス依存色空間である第３の色空間の信号値で表される原稿画像データと画像対応付け機能及び第１の色変換機能による処理を経て得られる目標印刷物の色度値と印刷物の色度値との対応関係から、目標印刷物の色度値と印刷物の色度値の差分を基に、第２の色変換機能に用いる色変換テーブルを作成する色変換テーブル作成機能と、をコンピュータに実現させるプログラムである。
【手続補正３９】
【補正対象書類名】明細書
【補正対象項目名】００６５
【補正方法】変更
【補正の内容】
【００６５】
第３１態様のプログラムについて、第２態様から第２３態様並びに第２９態様で特定した色変換テーブル作成装置の特定事項と同様の事項を適宜組み合わせることができる。その場合、色変換テーブル作成装置において特定される処理や機能を担う手段としての処理部や機能部は、これに対応する処理や動作を行うプログラムの「機能」の要素として把握することができる。
【手続補正４０】
【補正対象書類名】明細書
【補正対象項目名】００９３
【補正方法】変更
【補正の内容】
【００９３】
第１の色変換部６４は、スキャナプロファイル６８の色変換テーブル（「第１の色変換テーブル」に相当）を用いて、ＲＧＢ値からＬａｂ値に変換する色変換の処理（ＲＧＢ→Ｌａｂ変換）を行う。スキャナプロファイル６８は、画像読取部３０から得られるデバイス依存色空間の読取画像信号値であるＲＧＢ値とデバイス非依存のＬａｂ値との対応関係を表す色変換テーブル（「第１の色変換テーブル」）を含む。なお、ここでは、デバイス非依存色空間としてＬａｂ色空間を用いるが、他のデバイス非依存色空間を用いることも可能である。画像読取部３０から得られる読取画像信号（ＲＧＢ）の色空間が「第１の色空間」に相当し、Ｌａｂ色空間で例示されるデバイス非依存色空間が「第２の色空間」に相当する。第１の色変換部６４による色変換の機能が「第１の色変換機能」に相当する。第１の色変換部６４によって読取画像信号を色変換する工程が「読取画像色変換工程」に相当する。
【手続補正４１】
【補正対象書類名】明細書
【補正対象項目名】０１８６
【補正方法】変更
【補正の内容】
【０１８６】
従来の印刷システムの場合、このような色変換テーブルを作成する際は、一般に、カラーチャートを用いて、色空間全体に規則的に配置された画像信号値と色度値との対応関係を求め、この対応関係から所定の補間方法で補間して色変換テーブルを作成する。
【手続補正４２】
【補正対象書類名】明細書
【補正対象項目名】０１９６
【補正方法】変更
【補正の内容】
【０１９６】
ＩＤ＝２〜５については、直接的に対応する格子点がないため、近隣の格子点に対して色度値を設定する。図１１に示すように、ＩＤ＝２，３，４について、原稿画像信号値を取り囲む周囲４つの格子点に色度値を設定する。